【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
サーバ装置と、情報通信端末とがネットワークを通じて接続可能とされ、前記情報通信端末宛ての受信データは、前記サーバ装置が受信してメモリ部に格納すると共に、前記サーバ装置は、前記情報通信端末から受信データの提供要求を受けたときに、その提供要求に応じて指定された受信データを前記情報通信端末に送るようにする情報通信方法において、
前記サーバ装置は、
前記情報通信端末から提供される前記受信データの送信元のアドレス情報を構成する１〜複数の属性情報に基づいて、前記メモリ部に格納されている前記情報通信端末宛ての受信データについての情報を生成する情報生成工程と、
前記情報生成工程において生成した前記情報を前記情報通信端末に送信する情報送信工程とを備え、
前記情報通信端末は、
使用者からの１〜複数の前記属性情報の入力を受け付ける属性情報入力受付工程と、
前記属性情報入力受付工程において受け付けた前記属性情報を前記サーバ装置に送信する属性情報送信工程と、
前記サーバ装置からの自己宛ての受信データについての前記情報を受信する情報受信工程と
を備えることを特徴とする情報通信方法。
【請求項２】
前記サーバ装置は、
前記情報生成工程により、前記情報通信端末からの１〜複数の前記属性情報に一致する属性情報のアドレス情報を有する前記情報通信端末宛ての前記受信データの一覧リストを生成するものであり、
前記情報通信端末からの受信データの提供要求に基づいて、前記情報通信端末宛ての受信データを提供する受信データ提供工程を備え、
前記情報通信端末は、
前記サーバ装置からの前記一覧リストを表示素子に表示する表示工程と、
前記表示素子に表示した前記一覧リストの中から前記サーバ装置に対して提供を要求する受信データの選択入力を受け付ける選択入力受付工程と、
選択された前記受信データの提供要求を生成して、前記サーバ装置に送信する提供要求送信工程と、
前記サーバ装置の前記受信データ提供工程より提供される自己宛ての受信データを受信する受信データ受信工程と
を備えることを特徴とする請求項１に記載の情報通信方法。
【請求項３】
前記サーバ装置は、
前記情報生成工程により、前記情報通信端末からの１〜複数の前記属性情報に一致する属性情報のアドレス情報を有する前記情報通信端末宛ての前記受信データを抽出すると共に、抽出した前記受信データの一覧リストを生成し、
前記情報送信工程により、前記情報生成工程からの抽出した前記受信データと、この受信データの前記一覧リストとを前記情報通信端末に送信するものであり、
前記情報通信端末は、
前記サーバ装置からの前記一覧リストを表示素子に表示する表示工程を備え、
前記表示素子に表示した前記一覧リストを通じて、前記サーバ装置より提供を受けた自己宛ての受信データを利用可能にすることを特徴とする請求項１に記載の情報通信方法。
【請求項４】
前記サーバ装置は、
前記情報生成工程により、前記情報通信端末からの１〜複数の前記属性情報に基づいて並べ換えられた前記情報通信端末宛ての前記受信データの一覧リストを生成するものであることを特徴とする請求項１に記載の情報通信方法。
【請求項５】
前記サーバ装置は、
前記情報通信端末より、１〜複数の属性情報自体の提供を受けたときには、前記情報生成工程により、前記情報通信端末からの１〜複数の前記属性情報に一致する属性情報のアドレス情報を有する前記情報通信端末宛ての前記受信データを抽出し、
前記情報送信工程により、前記情報生成工程からの抽出した前記受信データと、前記一覧リストとを前記情報通信端末に送信することを特徴とする請求項４に記載の情報通信方法。
【請求項６】
サーバ装置と情報通信端末とがネットワークを通じて接続され、前記情報通信端末が、前記サーバ装置と協働することにより、自分宛ての情報の受信を行うようにする情報通信システムであって、
前記サーバ装置は、
前記情報通信端末宛ての受信データを受信してメモリ部に記憶する受信手段と、
前記情報通信端末から送信される前記受信データの送信元のアドレス情報を構成する１〜複数の属性情報を受信する属性情報受信手段と、
前記属性情報受信手段により受信された１〜複数の前記属性情報に基づいて、前記メモリ部に記憶されている前記情報通信端末宛ての受信データについての情報を生成する情報生成手段と、
前記情報生成手段により生成した前記情報を前記情報通信端末に送信する情報送信手段と
を備え、
前記情報通信端末は、
使用者からの１〜複数の前記属性情報の入力を受け付ける属性情報入力手段と、
前記属性情報入力手段を通じて受け付けた前記属性情報を前記サーバ装置に送信する属性情報送信手段と、
前記サーバ装置からの自己宛ての受信データについての前記情報を受信する情報受信手段と
を備えることを特徴とする情報通信システム。
【請求項７】
前記サーバ装置は、
前記情報生成手段により、前記情報通信端末からの１〜複数の前記属性情報に一致する属性情報のアドレス情報を有する前記情報通信端末宛ての前記受信データの一覧リストを生成するものであり、
前記情報通信端末からの受信データの提供要求に基づいて、前記情報通信端末宛ての受信データを提供する受信データ提供手段を備え、
前記情報通信端末は、
前記サーバ装置からの前記一覧リストを表示する表示素子と、
前記表示素子に表示した前記一覧リストの中から前記サーバ装置に対して提供を要求する受信データの選択入力を受け付ける選択入力受付手段と、
選択された前記受信データの提供要求を生成して、前記サーバ装置に送信する提供要求送信手段と、
前記サーバ装置の前記受信データ提供手段より提供される自己宛ての受信データを受信する受信データ受信手段と
を備えることを特徴とする請求項６に記載の情報通信システム。
【請求項８】
前記サーバ装置は、
前記情報生成手段により、前記情報通信端末からの１〜複数の前記属性情報に一致する属性情報のアドレス情報を有する前記情報通信端末宛ての前記受信データを抽出すると共に、抽出した前記受信データの一覧リストを生成し、
前記情報送信手段により、前記情報生成手段からの抽出した前記受信データと、この受信データの前記一覧リストとを前記情報通信端末に送信するものであり、
前記情報通信端末は、
前記サーバ装置からの前記一覧リストを表示する表示素子を備え、
前記表示素子に表示した前記一覧リストを通じて、前記サーバ装置より提供を受けた自己宛ての受信データを利用可能にすることを特徴とする請求項６に記載の情報通信システム。
【請求項９】
前記サーバ装置は、
前記情報生成手段により、前記情報通信端末からの１〜複数の前記属性情報に基づいて並べ換えられた前記情報通信端末宛ての前記受信データの一覧リストを生成するものであることを特徴とする請求項６に記載の情報通信システム。
【請求項１０】
前記サーバ装置は、
前記情報通信端末より、１〜複数の属性情報自体の提供を受けたときには、前記情報生成手段により、前記情報通信端末からの１〜複数の前記属性情報に一致する属性情報のアドレス情報を有する前記情報通信端末宛ての前記受信データを抽出し、
前記情報送信手段より、前記情報生成工程からの抽出した前記受信データと、前記一覧リストとを前記情報通信端末に送信することを特徴とする請求項９に記載の情報通信システム。
【請求項１１】
前記情報通信端末と前記サーバ装置とが接続される前記ネットワークは、携帯型の電話端末用のネットワークを含み、前記情報通信端末は、前記携帯型の電話端末用の無線基地局を通じて通信するための無線通信手段を備えることを特徴とする請求項６、請求項７、請求項８、請求項９または請求項１０に記載の情報通信システム。
【請求項１２】
情報通信端末とネットワークを通じて接続され、前記情報通信端末と協働することにより、前記情報通信端末が、自分宛ての受信データを取得するようにするためのサーバ装置であって、
前記情報通信端末宛ての受信データを受信してメモリ部に記憶する受信手段と、
前記受信データを特定するために、前記情報通信端末から送信される前記受信データの送信元のアドレス情報を構成する１〜複数の属性情報を受信する属性情報受信手段と、
前記属性情報受信手段により受信された１〜複数の前記属性情報に基づいて、前記メモリ部に記憶されている前記情報通信端末宛ての受信データについての情報を生成する情報生成手段と、
前記情報生成手段により生成された前記情報を前記情報通信端末に送信する情報送信手段と
を備えることを特徴とするサーバ装置。
【請求項１３】
前記情報生成手段は、前記情報通信端末からの１〜複数の前記属性情報に一致する属性情報のアドレス情報を有する前記情報通信端末宛ての前記受信データの一覧リストを生成するものであることを特徴とする請求項１２に記載のサーバ装置。
【請求項１４】
前記情報生成手段は、前記情報通信端末からの１〜複数の前記属性情報に一致する属性情報のアドレス情報を有する前記情報通信端末宛ての前記受信データを抽出すると共に、抽出した前記受信データの一覧リストを生成し、
前記情報送信手段により、前記情報生成工程からの抽出した前記受信データと、この受信データの前記一覧リストとを前記情報通信端末に送信するものであることを特徴とする請求項１２に記載のサーバ装置。
【請求項１５】
前記情報生成手段は、前記情報通信端末からの１〜複数の前記属性情報に基づいて並べ換えられた前記情報通信端末宛ての前記受信データの一覧リストを生成するものであることを特徴とする請求項１２に記載のサーバ装置。
【請求項１６】
前記情報生成手段は、前記情報通信端末より、１〜複数の属性情報自体の提供を受けたときには、前記情報通信端末からの１〜複数の前記属性情報に一致する属性情報のアドレス情報を有する前記情報通信端末宛ての前記受信データを抽出し、
前記情報通信手段により、前記情報生成手段からの抽出した前記受信データと、前記一覧リストとを前記情報通信端末に送信することを特徴とする請求項１５に記載のサーバ装置。
【請求項１７】
ネットワークを通じてサーバ装置と接続され、前記サーバ装置により受信されて、蓄積されている自分宛ての受信データを取得するようにする情報通信端末であって、
使用者からの前記受信データを特定するためのアドレス情報を構成する１〜複数の前記属性情報の入力を受け付ける属性情報入力手段と、
前記属性情報入力手段を通じて受け付けた前記属性情報を前記サーバ装置に送信する属性情報送信手段と、
前記サーバ装置から送信されてくる、１〜複数の前記属性情報に基づいて得られた、前記サーバ装置に蓄積されている自分宛ての受信データについての情報を受信する情報受信手段と
を備えることを特徴とする情報通信端末。
【請求項１８】
前記サーバ装置から送信されてくる自分宛ての受信データについての情報は、１〜複数の前記属性情報に基づいて作成された自分宛ての前記受信データの一覧リストであり、
前記サーバ装置からの前記一覧リストを表示する表示素子と、
前記表示素子に表示した前記一覧リストの中から前記サーバ装置に対して提供を要求する受信データの選択入力を受け付ける選択入力受付手段と、
選択された前記受信データの提供要求を生成して、前記サーバ装置に送信する提供要求送信手段と、
前記提供要求の応じて、前記サーバ装置より提供される自己宛ての受信データを受信する受信データ受信手段と
を備えることを特徴とする請求項１７に記載の情報通信端末。
【請求項１９】
前記サーバ装置から送信されてくる自分宛ての受信データについての情報は、１〜複数の前記属性情報に一致する属性情報のアドレス情報を有する自分宛ての前記受信データと、１〜複数の前記属性情報に基づいて作成された自分宛ての前記受信データの一覧リストとであり、
前記サーバ装置からの前記一覧リストを表示する表示素子を備え、
前記表示素子に表示した前記一覧リストを通じて、前記サーバ装置より提供を受けた自己宛ての受信データを利用可能にすることを特徴とする請求項１７に記載の情報通信端末。
【請求項２０】
前記ネットワークは、携帯型の電話端末用のネットワークを含むものであり、  前記携帯型の電話端末用の無線基地局を通じて通信するための無線通信手段を備えることを特徴とする請求項１７、請求項１８または請求項１９に記載の情報通信端末。
【請求項２１】
情報通信端末とネットワークを通じて接続され、前記情報通信端末と協働することにより、前記情報通信端末が、自分宛ての受信データを取得するようにするためのサーバ装置であって、
前記受信データを受信してメモリ部に記憶する受信手段と、
前記受信データを特定するために、前記情報通信端末から送信される前記受信データの検索情報を受信する情報受信手段と、
前記情報受信手段により受信された１〜複数の前記検索情報に基づいて、前記メモリ部に記憶されている前記受信データを検索し、検索結果により抽出された受信データについての情報を生成する情報生成手段と、
前記情報生成手段により生成された前記情報を前記情報通信端末に送信する情報送信手段と
を備えることを特徴とするサーバ装置。
【請求項２２】
ネットワークを通じてサーバ装置と接続され、前記サーバ装置により受信されて、蓄積されている自分宛ての受信データを取得するようにする情報通信端末であって、
使用者からの前記受信データを特定するための検索情報の入力を受け付ける情報入力手段と、
前記情報入力手段を通じて受け付けた前記検索情報を前記サーバ装置に送信する情報送信手段と、
前記サーバ装置から送信されてくる、１〜複数の前記検索情報に基づいて得られた、前記サーバ装置に蓄積されている自分宛ての受信データについての情報を受信する情報受信手段と
を備えることを特徴とする情報通信端末。
【請求項２３】
情報通信端末とネットワークを通じて接続され、前記情報通信端末と協働することにより、前記情報通信端末が、自分宛ての受信データを取得するようにするためのサーバ装置においての情報通信方法であって、
前記受信データを受信してメモリ部に記憶する受信工程と、
前記受信データを特定するために、前記情報通信端末から送信される前記受信データの検索情報を受信する情報受信工程と、
前記情報受信工程において受信した１〜複数の前記検索情報に基づいて、前記メモリ部に記憶されている前記受信データを検索し、検索結果により抽出された受信データについての情報を生成する情報生成工程と、
前記情報生成工程において生成した前記情報を前記情報通信端末に送信する情報送信工程と
を備えることを特徴とする情報通信方法。
【請求項２４】
ネットワークを通じてサーバ装置と接続され、前記サーバ装置により受信されて、蓄積されている自分宛ての受信データを取得するようにする情報通信端末においての情報通信方法であって、
使用者からの前記受信データを特定するための検索情報の入力を受け付ける情報入力工程と、
前記情報入力工程において受け付けた前記検索情報を前記サーバ装置に送信する情報送信工程と、
前記サーバ装置から送信されてくる、１〜複数の前記検索情報に基づいて得られた、前記サーバ装置に蓄積されている自分宛ての受信データについての情報を受信する情報受信工程と
を備えることを特徴とする情報通信方法。
【請求項２５】
情報通信端末とネットワークを通じて接続され、前記情報通信端末と協働することにより、前記情報通信端末が、自分宛ての受信データを取得するようにするためのサーバ装置においての情報通信方法であって、
前記情報通信端末宛ての受信データを受信してメモリ部に記憶する受信工程と、
前記受信データを特定するために、前記情報通信端末から送信される前記受信データの送信元のアドレス情報を構成する１〜複数の属性情報を受信する属性情報受信工程と、
前記属性情報受信工程において受信された１〜複数の前記属性情報に基づいて、前記メモリ部に記憶されている前記情報通信端末宛ての受信データについての情報を生成する情報生成工程と、
前記情報生成工程において生成した前記情報を前記情報通信端末に送信する情報送信工程と
を備えることを特徴とする情報通信方法。
【請求項２６】
ネットワークを通じてサーバ装置と接続され、前記サーバ装置により受信されて、蓄積されている自分宛ての受信データを取得するようにする情報通信端末においての情報通信方法であって、
使用者からの前記受信データを特定するためのアドレス情報を構成する１〜複数の前記属性情報の入力を受け付ける属性情報入力工程と、
前記属性情報入力工程において受け付けた前記属性情報を前記サーバ装置に送信する属性情報送信工程と、
前記サーバ装置から送信されてくる、１〜複数の前記属性情報に基づいて得られた、前記サーバ装置に蓄積されている自分宛ての受信データについての情報を受信する情報受信工程と
を備えることを特徴とする情報通信方法。
【手続補正２】
【補正対象書類名】明細書
【補正対象項目名】０１１０
【補正方法】変更
【補正の内容】
【０１１０】
なお、ＷＷＷブラウザ機能における共通サーバ装置２と会員端末１との間でやり取りするデータは、ＨＴＭＬ（Ｈｙｐｅｒ  Ｔｅｘｔ  Ｍａｒｋｕｐ  Ｌａｎｇｕａｇｅ）で作成される。
【手続補正３】
【補正対象書類名】明細書
【補正対象項目名】０１３６
【補正方法】変更
【補正の内容】
【０１３６】
そこで、この実施の形態においては、会員端末１において、電子メールアドレスを構成する属性情報であるユーザＩＤ、ドメイン名、サブドメイン名のうち、少なくとも１つを指定する。そして、共通サーバ装置２に蓄積されている電子メールの受信データに付加されている送信元の電子メールアドレスが、この指定した属性情報に一致する属性情報を有する電子メールの受信データを、共通サーバ装置２において検索し、検索の結果得られた受信データの一覧リストを共通サーバ装置２から会員端末１に提供する。そして、会員端末１は、指定した属性情報によって絞り込まれたメールリストを通じて、目的とする送信元からの電子メールの受信データを共通サーバ装置２から取得することができるようにされている。
【手続補正４】
【補正対象書類名】明細書
【補正対象項目名】０１３９
【補正方法】変更
【補正の内容】
【０１３９】
使用者は、会員端末１がデータ通信モードにあるときに、メインＬＣＤ１０５Ｍに表示されている機能一覧メニューから電子メール機能が選択され、オンライン接続キーＫ２が押下されると（手順Ｓ１）、会員端末１は、前述したようにして、共通サーバ装置２と接続するための処理を自動的に行う（手順Ｓ２）。すなわち、フラッシュメモリ１２４に記憶されている自己の会員端末１の会員識別情報と、ＩＳＰサーバ装置７Ｉを通じた共通サーバ装置２への接続のためのアドレスデータとを用いて、共通サーバ装置２と接続する要求を会員端末１は送出する。